(57)【要約】【課題】  取っ手によって複数台の機器を連結した状態で輸送するのでぶつかり合って破損することを防ぐことができるようにする。【解決手段】  スライド式の取っ手４を備え、画像形成装置１０を運搬する状態では、画像形成装置１０から４個の取っ手４を引き出し、運搬操作者が手で持ち上げ、降ろす、移動させる等の操作を行う。画像形成装置１０は、同じ側面についている取っ手４のうち、片方の取っ手４ａは先端部が細くなっており、他方の取っ手４ｂは太くかつ中空で、対向する取っ手４ａを内部に差し込むことができる。トラック等で複数の画像形成装置１０を輸送する際には、取っ手４で複数の画像形成装置を列状に連結する一方で、連結していない画像形成装置１０同士の間に緩衝材を入れてぶつかり合うことを防ぐ。【選択図】        図２
2006060529.tif 000002
【特許請求の範囲】
【請求項１】
持ち上げ用の取っ手を複数個有する機器において、前記取っ手が他の機器との連結手段を兼ねることを特徴とする機器。
【請求項２】
請求項１の機器において、前記取っ手を少なくとも形状の異なる２種類有することを特徴とする機器。
【請求項３】
請求項２の機器において、一方の種類の取っ手の形状を、前記形状の異なる他の種類の取っ手を差し込み可能として前記連結手段を構成してなることを特徴とする機器。
【請求項４】
請求項１ないし３のいずれかの機器において、対角線上に位置する取っ手の形状を同一としてなることを特徴とする機器。
【請求項５】
請求項１ないし４のいずれかの機器において、前記取っ手がネジ穴を有することを特徴とする機器。
【請求項６】
請求項５の機器において、前記ネジ穴を複数個有することを特徴とする機器。
【請求項７】
請求項１ないし６のいずれかの機器において、前記取っ手を機器本体に対して出没可能に設けたことを特徴とする機器。
【請求項８】
請求項１ないし７のいずれかの機器において、前記複数の取っ手を連結対象とする他の機器の複数の取っ手と同じ配置に備えることを特徴とする機器。
【請求項９】
請求項８の機器において、前記複数の取っ手を連結対象とする他の機器の複数の取っ手と同じ高さ位置に備えることを特徴とする機器。
【請求項１０】
請求項８または９の機器において、前記複数の取っ手を連結対象とする他の機器の取っ手と同じ幅寸法で配置して備えることを特徴とする機器。
【請求項１１】
請求項１ないし１０のいずれかの機器を含んでなることを特徴とする画像形成装置。
【請求項１２】
請求項１ないし１０のいずれかの機器であることを特徴とする画像形成装置。
【発明の詳細な説明】
【技術分野】
【０００１】
本発明は、複写機、プリンタ、ファクシミリ装置等の画像形成装置、その他の例えば比較的重量の大きい機器に関し、運搬用の取っ手を備えるものに関する。
【背景技術】
【０００２】
近年、複写機等の画像形成装置をリサイクルするために、ユーザーから回収して回収センターへ、回収センターから再生センターへと画像形成装置の輸送を行っている。このようなリサイクルのために輸送される画像形成装置等は、新品の画像形成装置機とは異なり、輸送の際には梱包されずにほぼ裸荷同然の状態で輸送されているのが実情である。そのため輸送中に隣り合った画像形成装置同士がぶつかり合い、外装カバーにキズがついたり、手差しユニットや両面ユニット等のオプション類が破損してしまったりして、リサイクルする上での大きな妨げになっている。
【０００３】
そこで複数の画像形成装置を連結し、輸送中に機械同士がぶつかり合うことを防止する方法が提案されている（特許文献１ないし４参照）。
【特許文献１】特開２００１−３３７５００号公報
【特許文献２】特開２００３−２２６３５５号公報
【特許文献３】特開２００２−２５５２３２号公報
【特許文献４】特開２００１−１１４３３０号公報
【発明の開示】
【発明が解決しようとする課題】
【０００４】
しかしながら、上述した従来の方法は、いずれの方法もネジよりもコストの高い連結部材が必要になるため、リサイクルが高コストになり、解決が望まれていた。
【０００５】
本発明は、上述した従来の問題点にかんがみ、輸送中に機械同士がぶつかり合って破損しないように連結すること可能ととする機器や、複写機等の画像形成装置を提供することを目的とする。
【課題を解決するための手段】
【０００６】
本発明の請求項１に係る機器は、持ち上げ用の取っ手を複数個有する機器において、前記取っ手が他の機器との連結手段を兼ねることを特徴とする。
【０００７】
同請求項２に係るものは、請求項１の機器において、前記取っ手を少なくとも形状の異なる２種類有することを特徴とする。
【０００８】
同請求項３に係るものは、請求項２の機器において、一方の種類の取っ手の形状を、前記形状の異なる他の種類の取っ手を差し込み可能として前記連結手段を構成してなることを特徴とする。
【０００９】
同請求項４に係るものは、請求項１ないし３のいずれかの機器において、対角線上に位置する取っ手の形状を同一としてなることを特徴とする。
【００１０】
同請求項５に係るものは、請求項１ないし４のいずれかの機器において、前記取っ手がネジ穴を有することを特徴とする。
【００１１】
同請求項６に係るものは、請求項５の機器において、前記ネジ穴を複数個有することを特徴とする。
【００１２】
同請求項７に係るものは、請求項１ないし６のいずれかの機器において、前記取っ手を機器本体に対して出没可能に設けたことを特徴とする。
【００１３】
同請求項８に係るものは、請求項１ないし７のいずれかの機器において、前記複数の取っ手を連結対象とする他の機器の複数の取っ手と同じ配置に備えることを特徴とする。
【００１４】
同請求項９に係るものは、請求項８の機器において、前記複数の取っ手を連結対象とする他の機器の複数の取っ手と同じ高さ位置に備えることを特徴とする。
【００１５】
同請求項１０に係るものは、請求項８または９の機器において、前記複数の取っ手を連結対象とする他の機器の取っ手と同じ幅寸法で配置して備えることを特徴とする。
【００１６】
同請求項１１に係る画像形成装置は、請求項１ないし１０のいずれかの機器を含んでなることを特徴とする。
【００１７】
同請求項１２に係るものは、請求項１ないし１０のいずれかの機器であることを特徴とする。
【発明の効果】
【００１８】
本発明の機器は、取っ手によって複数台の機器を連結した状態で輸送するのでぶつかり合って破損することを防ぐことができる。
【発明を実施するための最良の形態】
【００１９】
以下本発明を実施するための最良の形態を、図に示す実施例を参照して説明する。なお以下では、
【実施例１】
【００２０】
図１はスライド式の取っ手を有する画像形成装置の運搬状態を示す斜視図である。この画俊形成装置１０は、画像読取部１、給紙部２、画像形成部３等からなり、４本の取っ手４を備えている。取っ手４は、長尺棒状（例えば、板金を断面コ字状に加工したもの）であり、図示は省略するが、画像形成装置１０の本体内の適所、例えば給紙部２と画像形成部３間の間隙に出没可能となるように支持してある。即ち、取っ手４が画像形成装置１０から外方へ突出することにより、運搬時にこれを把持して使用可能となる。もちろん取っ手４の配置場所は、図示の位置に限定されるわけではない。また本発明は引き出し式の取っ手だけでなく、その他の構造の取っ手についても適用できるので、図に示す構造のものには限定されない。
【００２１】
上述した取っ手４を利用して画像形成装置１０を運搬する状態では、図示のように画像形成装置１０から４個の取っ手４を引き出し、運搬操作者が手で持ち上げ、降ろす、移動させる等の操作を行う。なお図示の例では、取っ手４の向きを、画像形成装置１０の手前側に設けてある操作部１ａ側に位置する２個については、断面コ字状の取っ手４が横向きとなるように、また画像形成装置１０の奥側のものについては取っ手４が上向きとなるように設けてあるが、後述もするように、取っ手４は特にこのような向きに設けなければならないと言うわけではない。
【００２２】
図２は本発明に係る機器の第１実施例を示す図で、図１に示したような画像形成装置１０を一対組み合わせるように配した状態の平面図（Ａ）と、それら画像形成装置１０が有する取っ手４を拡大して示す斜視図（Ｂ）である。なお取っ手４はそれぞれの画像形成装置１０の一側のみを引き出した状態で示してある。図示のように、本実施例の画像形成装置１０は、同じ側面についている取っ手４のうち、片方の取っ手４ａは先端部が細くなっており、他方の取っ手４ｂは太くかつ中空で、対向する取っ手４ａを内部に差し込むことができるようになっている。
【００２３】
図３は、図２に示した構造の画像形成装置１０の取っ手４ａ、４ｂを連結した状態を真上から見た平面図である。トラック等で複数の画像形成装置１０を輸送する際には、図示のように複数の画像形成装置を列状に連結する一方で、連結していない画像形成装置１０同士の間（図示の例では連結していない画像形成装置の列の間）に緩衝材１１を間に入れ、連結されていない画像形成装置１０同士あるいは画像形成装置の列同士がぶつかり合って破損することを防ぐ。
【００２４】
なお取っ手４ａ、４ｂにはそれぞれ複数個のネジ穴１２が開けてある。取っ手４ａ、４ｂのネジ穴１２の位置、間隔はもちろん対応させてあり、図４に示すように、画像形成装置１０に装着してあるオプション（手差しユニット１３や両面ユニット１４等）に応じて、すなわちサイズ等に応じて取っ手４ａ、４ｂの連結する長さを調節し、ネジで固定するを変えることにより、最適な連結を行えるようになっている。
【実施例２】
【００２５】
図５は本発明の第２実施例を示す図で、異なる種類の画像形成装置１０ａ、１０ｂを並べて真上から見た平面図（Ａ）と真横から見たと側面図（Ｂ）である。図示のように、異なる種類の画像形成装置１０ａ、１０ｂが、取っ手４の幅方向での間隔（ａ、ａ’）と高さ（ｂ、ｂ’）が等しく（ａ＝ａ’、ｂ＝ｂ’）なっている。このような構成とすれば、先の実施例と同様に複数の画像形成装置を連結して搬送できる。
【実施例３】
【００２６】
図６は本発明の第３実施例を示す図で、複数の（図では３台の）画像形成装置１０を並べて真上から見た平面図である。画像形成装置１０が異なる種類のものであっても、あるいは同一の種類のものであっても、図示のように取っ手４ａ、４ｂの配置を等しくして、機械を同じ向きに並べれば連結することができるようになっている。すなわち、取っ手４ａ、４ｂを引き出して、太い、細い等の取っ手の種類の確認をしなくてもよい。
【図面の簡単な説明】
【００２７】
【図１】スライド式の取っ手を有する画像形成装置の運搬状態を示す斜視図
【図２】図２は本発明に係る機器の第１実施例を示す図
【図３】図２に示した構造の画像形成装置の連結状態の平面図
【図４】図２に示した構造の画像形成装置のオプションに応じて連結する長さを調節た状態の平面図
【図５】本発明の第２実施例を示す図
【図６】本発明の第３実施例を示す図
【符号の説明】
【００２８】
１  画像読取部
１ａ  操作部
２  給紙部
３  画像形成部
４、４ａ、４ｂ  取っ手
１０、１０ａ、１０ｂ  画像形成装置
１１  緩衝材
１２  ネジ穴
１３  手差しユニット
１４  両面ユニット
【図１】
2006060529.tif 000003
【図２】
2006060529.tif 000004
【図３】
2006060529.tif 000005
【図４】
2006060529.tif 000006
【図５】
2006060529.tif 000007
【図６】
2006060529.tif 000008